(57)【要約】      （修正有）【課題】種類の異なる内視鏡を、直接、又は内視鏡保持トレーを介して洗浄槽内の所定位置に配設して、内視鏡の洗浄、消毒を自動で実行して、十分な洗浄消毒効果を得る内視鏡洗浄消毒装置を提供する。【解決手段】内視鏡洗浄消毒装置は、少なくとも挿入部２１及び操作部２２を備える内視鏡２０を、直接又はトレー１０に収容した状態で、装置本体に設けられた洗浄槽内に配設して、内視鏡２０の外表面及び内視鏡管路内の洗浄消毒を自動で行う内視鏡洗浄消毒装置である。洗浄槽の底面、又は、トレー１０の底面１４には、内視鏡２０の配置位置を告知する挿入部位置決め突起５、操作部位置決め突起６、挿入部用着色部、又は操作部用着色部の何れか１つが設けられている。【選択図】図２
2009172055.tif 000002
【特許請求の範囲】
【請求項１】
少なくとも挿入部及び操作部を備える内視鏡を、直接又は内視鏡保持トレーに収容した状態で、内視鏡洗浄消毒装置本体に設けられた洗浄槽内に配設して、前記内視鏡の外表面及び内視鏡管路内の洗浄消毒を自動で行う内視鏡洗浄消毒装置において、
前記洗浄槽の底面、又は、前記内視鏡保持トレーの底面に、前記内視鏡の配置位置を告知する告知手段を設けたことを特徴とする内視鏡洗浄消毒装置。
【請求項２】
前記告知手段は、前記底面に立設して、前記内視鏡の挿入部及び前記操作部の配置位置を規定する規定手段を兼ねる凸部であって、
前記凸部は、前記挿入部の配置位置を規定する挿入部位置決め突起及び前記操作部の配置位置を規定する操作部位置決め突起であることを特徴とする請求項１に記載の内視鏡洗浄消毒装置。
【請求項３】
前記内視鏡保持トレーの底面に、前記挿入部位置決め突起及び前記操作部位置決め突起に加えて、前記挿入部を配置する領域と前記操作部を配置する領域とを区分する仕切りを設けたことを特徴とする請求項２に記載の内視鏡洗浄消毒装置。
【請求項４】
前記告知手段は、前記内視鏡の挿入部の配置位置及び前記操作部の配置位置を告知する着色部であることを特徴とする請求項１に記載の内視鏡洗浄消毒装置。
【発明の詳細な説明】
【技術分野】
【０００１】
本発明は、洗浄槽に配設された使用後の内視鏡の表面及び内視鏡管路の洗浄消毒を自動で行う内視鏡洗浄消毒装置に関する。
【背景技術】
【０００２】
内視鏡は、検査や治療の目的で体腔内に挿入される。体腔内に挿入された内視鏡は、挿入部の外表面に体液や汚物等が付着するだけでなく、挿入部に設けられている処置具チャンネルを兼ねる吸引管路等の内視鏡管路内にも体液、汚物等が付着する。そのため、使用後の内視鏡においては、外表面、及び内視鏡管路を洗浄、消毒する必要がある。
【０００３】
例えば、特許文献１には操作する手順を省略して煩雑さをなくし、操作性を良好にした内視鏡洗浄消毒装置が示されている。この内視鏡洗浄装置においては、槽本体の側面の所定位置に内視鏡が所定位置に収納配置されたことを検知する例えば発光部と受光部とを有する光学センサで構成された内視鏡検知センサが設けられている。この内視鏡洗浄消毒装置では、トップカバーが閉じられた後、ＣＰＵが内視鏡検知センサから内視鏡が収納配置されていることを検知して出力した検知信号を確認すると、オートスタートスイッチの設定を判断した後、洗浄消毒工程が開始される。
【０００４】
しかし、この内視鏡洗浄消毒装置では、トップカバーを閉じる前に、ユーザが洗浄槽内に設けられているポートと内視鏡の口金とをチューブで接続しなければならず、このチューブ接続作業がユーザにとって煩わしい作業であった。
【０００５】
これに対して、特許文献２には使用済みの内視鏡の洗浄消毒を衛生的、かつ効率的に行える内視鏡洗浄消毒装置が示されている。この内視鏡洗浄装置において、内視鏡は、トレーの一面側に設けられた収納凹部に収納される。収納凹部の形状は、収納される内視鏡の操作部、挿入部の外形形状及び長さ寸法に合わせて所定形状に形作られている。
【０００６】
すなわち、この内視鏡洗浄消毒装置において、使用済み内視鏡の洗浄消毒を行う際、作業者は、内視鏡に対応する専用のトレーの収納凹部に使用済みの内視鏡を収納し、内視鏡が収納凹部に収納されたトレーをトレー保持部材に取り付ける。すると、トレー保持部材が、トレー用モータの駆動力によって回転移動して、トレーが洗浄槽内に収容された状態になる。この後、トップカバーがカバー用モータの駆動力によって回転移動して、洗浄槽を覆った洗浄消毒可能な状態になる。すると、予め、記憶部に登録されている一連の洗浄消毒工程が自動的に開始される。
【特許文献１】特開２００６−２３０４９２号公報
【特許文献２】特開２００６−２９６９８２号公報
【発明の開示】
【発明が解決しようとする課題】
【０００７】
しかしながら、特許文献２の内視鏡洗浄消毒装置では内視鏡を専用のトレーに収納するため、使用する内視鏡の種類が多い医療施設では、内視鏡の種類の増加に伴い専用のトレーの種類も多くなり、トレーの保管、管理が煩雑になるという問題が発生する。この問題を解消する目的で、１つのトレーに複数種類の内視鏡を収容可能にすることが考えられるが、内視鏡がトレーに正しくセットされていない場合、内視鏡の洗浄槽に対する配設位置が所定の状態から位置ずれして、内視鏡洗浄の自動化を妨げる、或いは、内視鏡洗浄消毒装置の有する洗浄消毒機能を低下させるおそれがある。
【０００８】
本発明は上記事情に鑑みてなされたものであり、種類の異なる内視鏡を、直接、又は内視鏡保持トレーを介して洗浄槽内の所定位置に配設して、内視鏡の洗浄、消毒を自動で実行して、十分な洗浄消毒効果を得る内視鏡洗浄消毒装置を提供することを目的にしている。
【課題を解決するための手段】
【０００９】
本発明の内視鏡洗浄消毒装置は、少なくとも挿入部及び操作部を備える内視鏡を、直接又は内視鏡保持トレーに収容した状態で、内視鏡洗浄消毒装置本体に設けられた洗浄槽内に配設して、前記内視鏡の外表面及び内視鏡管路内の洗浄消毒を自動で行う内視鏡洗浄消毒装置であって、
前記洗浄槽の底面、又は、前記内視鏡保持トレーの底面に、前記内視鏡の配置位置を告知する告知手段を設けている。
【００１０】
この構成によれば、告知手段にしたがって内視鏡を配置することによって、内視鏡は所定の位置に配置される。
【発明の効果】
【００１１】
本発明によれば、種類の異なる内視鏡を、直接、又は内視鏡保持トレーを介して洗浄槽内の所定位置に配設して、内視鏡の洗浄、消毒を自動で実行して、十分な洗浄消毒効果を得る内視鏡洗浄消毒装置を実現できる。
【発明を実施するための最良の形態】
【００１２】
以下、図面を参照して本発明の実施の形態を説明する。  
図１乃至図５は本発明の第１実施形態に係り、図１は内視鏡洗浄消毒装置を説明する斜視図、図２は内視鏡と、内視鏡を収容する内視鏡収容部に挿入部位置決め突起及び操作部位置決め突起を備えたトレーとを説明する図、図３は内視鏡を内視鏡収容部に収容したトレーを洗浄槽に配設した状態を説明する図、図４は挿入部収容領域と操作部収容領域とを区分けする隔壁を備えたトレーを説明する図、図５は挿入部用着色部及び操作部用着色部を備えたトレーを説明する図である。
【００１３】
図１に示すように内視鏡洗浄消毒装置１は、使用済みの内視鏡（図２の符号２０参照）等を洗浄、消毒するための装置である。内視鏡洗浄消毒装置１は、内視鏡洗浄消毒装置本体（以下、装置本体と略記する）２とトップカバー３とを備えて構成されている。装置本体２は、内視鏡を洗浄するための洗浄槽４を備えている。トップカバー３は、例えば図示しないヒンジ部によって装置本体２に対して開閉自在に構成されている。洗浄槽４の開口は、トップカバー３によって閉塞される構成である。装置本体２の洗浄槽４内には、例えば内視鏡を収容した後述するトレー（図２の符号１０）が着脱自在に配設される。内視鏡洗浄消毒装置１、トレー１０及び内視鏡２０で内視鏡洗浄消毒システムが構成される。
【００１４】
装置本体２の洗浄槽４内の周壁４ａには、内視鏡２０が備える各内視鏡管路内に洗浄液、消毒液、すすぎ水、アルコール等の液体またはエア等の気体（以下、流体と称す）を、自動的に供給する流体供給ユニット９ａ及び流体供給ノズル９ｂが設けられている。
【００１５】
本実施形態において、流体供給ノズル９ｂは、内視鏡管路のうち、吸引管路を兼ねた処置具挿通管路の基端に設けられた処置具用口金（図２等の符号２８参照）に接続される。一方、流体供給ユニット９ａは、内視鏡２０の操作部（図２の符号２２参照）に具備する内視鏡管路のうち、送気管路、送水管路、及び前方送水管路等の基端に設けられた口金（図２の符号２９参照）にそれぞれ接続される複数のノズル９ｃを備えている。
【００１６】
なお、本実施形態において、流体供給ユニット９ａ及び流体供給ノズル９ｂは、図示しないアクチュエータによって進退移動される。流体供給ユニット９ａは、前進されて周壁４ａから突出したとき、所定の位置に口金２９が配置されていた場合、それぞれの口金２９にノズル９ｃが接続される構成になっている。流体供給ノズル９ｂは、前進されたとき、所定の位置に口金２８が配置されていた場合、口金２８に接続される構成になっている。
【００１７】
内視鏡洗浄消毒装置１で洗浄される内視鏡２０は、図２に示すように細長な挿入部２１と、挿入部２１の基端側に連設された操作部２２とにより主要部が構成されている。操作部２２の側部には処置具挿通管路用の処置具用口金２８が設けられ、操作部２２の例えば基端側の一端面には送気管路、送水管路、及び前方送水管路用の口金２９が配設されている。内視鏡検査中においては、送気管路の口金、送水管路の口金、前方送水管路の口金には内視鏡２０に空気等の気体、或いは水等の液体を供給する送気チューブ（不図示）、送水チューブ（不図示）がそれぞれ接続され、処置具挿通管路の処置具用口金２８には吸引チューブ（不図示）が接続されるようになっている。
【００１８】
内視鏡２０は、口腔から挿入されるタイプ、鼻腔から挿入されるタイプ、或いは肛門から挿入されるタイプなど、タイプ毎に、挿入部２１の長さ寸法、外形寸法、又は操作部２２の外形形状等、様々な形態で構成されている。即ち、内視鏡２０は、挿入部の長さの違い、操作部の形状の違いによって複数種類になる。  
なお、操作部の外形形状は、術者の手の大きさの違い、或いは内視鏡管路の数量等によって変化する。
【００１９】
例えば、図２に示す内視鏡２０の挿入部２１の径寸法がφＡで、操作部の形状が同じである場合、挿入部２１の長さ寸法の違いに関わらず操作部２２には例えば緑色に着色された内視鏡側識別部２３が設けられる。言い換えれば、挿入部２１の長さ寸法がこの内視鏡２０より長い場合、或いは短い場合であっても、径寸法がφＡで、操作部の形状が同じ場合、操作部２２には緑色に着色された内視鏡側識別部２３が設けられる。そして、緑色に着色された内視鏡側識別部２３を備える内視鏡２０は、検査終了後、例えば内視鏡保持トレー（以下、トレーと略記する）１０の内視鏡収容部１１に収容された状態で洗浄消毒される。
【００２０】
なお、挿入部の径寸法が挿入部２１と同じφＡであっても操作部の形状が操作部２２と異なる場合、内視鏡は内視鏡２０とは異なる内視鏡２０Ａであり、操作部２２Ａには緑色と異なる例えば赤色等の内視鏡側識別部２３Ａが設けられる。また、挿入部の径寸法が挿入部２１と異なるφＢであって、操作部の形状が操作部２２と同じ場合でも、内視鏡は内視鏡２０とは異なる内視鏡２０Ｂであり、操作部２２Ｂには緑色、赤色とは異なる例えば黄色等の内視鏡側識別部２３Ｂが設けられる。
【００２１】
トレー１０は、緑色に着色された内視鏡側識別部２３に対応する内視鏡２０を収容するトレーであって、内視鏡側識別部２３の色と同色、緑色に着色されている。トレー１０の内視鏡収容部１１は、挿入部収容領域１２と操作部収容領域１３とを備えている。トレー１０は、底面１４と壁面１５ａ、１５ｂとを備えて構成されている。壁面１５ａ、１５ｂは、底面１４から所定寸法、立設して構成されている。壁面１５ａは、底面１４の外側に設けられた外形壁面であり、壁面１５ｂは挿入部２１を巻回状態に収容するための挿入部収容壁面である。内視鏡収容部１１の挿入部収容領域１２は、外形壁面１５ａと挿入部収容壁面１５ｂとによって略円形に形作られている。
【００２２】
操作部収容領域１３近傍の外形壁面１５ａにはユニット挿通部１６及びノズル挿通部１７が形成されている。このことによって、トレー１０が洗浄槽４内に所定の状態で配設されたとき、流体供給ユニット９ａがユニット挿通部１６を介して内視鏡収容部１１の操作部収容領域１３内への移動が可能になり、流体供給ノズル９ｂがノズル挿通部１７を介して内視鏡収容部１１の操作部収容領域１３内への移動が可能になる。
【００２３】
トレー１０の挿入部収容領域１２の底面１４には、挿入部２１を所望の巻回状態で収容することによって、最良の内視鏡管路内の洗浄消毒を実現する配置位置をユーザに告知する告知手段と、径寸法がφＡの挿入部２１を安定した状態で巻回状態に規制する規制手段とを兼ねる挿入部位置決め突起５が設けられている。
【００２４】
一方、トレー１０の操作部収容領域１３の底面１４には、操作部２２を所望の状態で収容することによってノズル９ｂ、９ｃの口金２８、２９への自動装着を実現する告知手段及び規制手段を兼ねる操作部位置決め突起６が設けられている。
【００２５】
操作部位置決め突起６の径寸法及び高さ寸法は、挿入部位置決め突起５の径寸法及び高さ寸法より大きく設定されている。このことによって、ユーザは、挿入部位置決め突起５と操作部位置決め突起６との識別を容易に行うことができる。
【００２６】
また、複数の挿入部位置決め突起５は、ユーザが挿入部２１を滑らかな巻回状態を形作ることが想像できるように配列してある。  
さらに、隣り合う操作部位置決め突起６同士を結んだ線分によって形成される操作部収容領域１３内には操作部特定突起７が設けられている。操作部特定突起７は、操作部２２に設けられた切り欠き孔２４、又は貫通孔（不図示）に係入するように形成されている。このことによって、操作部収容領域１３内に、対応する内視鏡以外の操作部が配置されることを防止している。
【００２７】
なお、トレー１０は内視鏡２０を収容するトレーである。そして、図示しない内視鏡２０Ａは図示しないトレー１０Ａに収容され、図示しない内視鏡２０Ｂは図示しないトレー１０Ｂに収容される。それぞれのトレー１０、１０Ａ、１０Ｂ、…に設けられる挿入部位置決め突起５、操作部位置決め突起６及び操作部特定突起７の位置は、それぞれのトレー１０、１０Ａ、１０Ｂ、…毎に、設定される。しかし、トレー１０、１０Ａ、１０Ｂ、…の外形形状については、トレーの種類の違いにかかわらず、装置本体２に備えられている洗浄槽４の周壁４ａに倣って同一に形成されている。このことによって、各トレー１０、１０Ａ、１０Ｂ、…は、洗浄槽４に対して所定の位置に配設される。
【００２８】
また、操作部収容領域１３近傍の外形壁面１５ａに形成されるユニット挿通部１６及びノズル挿通部１７も、トレーの種類に関わらず、同位置に同形状で形成される。
【００２９】
さらに、挿入部収容領域１２も、外形壁面１５ａと挿入部収容壁面１５ｂとによって同形状に形作られている。  
符号１８はその他収容室であり、内視鏡検査で使用されたリユース機器、部品が収容される。符号１９は排液口であり、挿入部収容領域１２の略中央に設けられ、洗浄液、消毒液、すすぎ水等の液体が排出される。これらその他収容室１７、排液口１８もトレーの種類に関わらず同位置に同形状で設けられている。
【００３０】
ここで、緑色に着色された内視鏡側識別部２３を備える挿入部２１の長さ寸法がＬの内視鏡２０ａと長さ寸法がＬより長い内視鏡２０ｂとを緑色に着色されたトレー１０に収容する場合について説明する。
【００３１】
まず、ユーザは、内視鏡２０ａの操作部２２を、操作部位置決め突起６によって構成された操作部収容領域１３内に配置する。その際、ユーザは、操作部特定突起７を操作部２２の切り欠き孔２４に係入させた状態にして、操作部２２を操作部収容領域１３に配置する。このことによって、操作部２２は、操作部２２の一面が底面１４に密着した所定の状態で、操作部収容領域１３内に収容される。  
次に、ユーザは、挿入部２１を複数の挿入部位置決め突起５に沿わせて配置していく。すると、挿入部２１は巻回した状態で、挿入部収容領域１２に収容される。
【００３２】
その後、ユーザは、内視鏡収容部１１に内視鏡２０ａを収容したトレー１０を洗浄槽４に所定の状態で配設する。このことによって、内視鏡２０ａの操作部２２及び挿入部２１が洗浄槽４内の所定位置に所定の状態で配設される。  
なお、長さ寸法がＬの挿入部２１の先端は図３の実線に示す位置に配置されている。
【００３３】
一方、ユーザが挿入部２１長さ寸法がＬより長い内視鏡２０ｂをトレー１０に収容する場合、まず、上述と同様に操作部２２を操作部収容領域１３に収容する。その後、ユーザは、挿入部２１を挿入部位置決め突起５に沿わせて配置していく。このとき、内視鏡２０ｂの挿入部２１の長さ寸法がＬより長いため、挿入部収容領域１２に巻回されて収容された挿入部２１の先端は図３の破線に示すように実線の位置とは異なる位置に配置される。つまり、挿入部２１の長さ寸法の違いによって、挿入部収容部領域１２内における挿入部の巻回数と、挿入部先端の配置位置とが異なっている。
【００３４】
その後、ユーザが、長さ寸法がＬより長い挿入部２１を備える内視鏡２０ｂを内視鏡収容部１１に収容したトレー１０を洗浄槽４に所定の状態で配設する。このことによって、内視鏡２０ｂの操作部２２及び挿入部２１が洗浄槽４内の所定位置に所定の状態で配設される。
【００３５】
このように、挿入部２１の径寸法がφＡで操作部２２が同形状であれば、挿入部２１の長さ寸法に関わらず、ユーザは、トレー１０の挿入部収容領域１２の底面１４から突設している複数の挿入部位置決め突起５に沿わせて挿入部２１を所望の滑らかな巻回状態にして収容することができる。このことによって、内視鏡洗浄消毒装置の有する洗浄消毒機能を十分に発揮させられる。
【００３６】
また、内視鏡２０を収容したトレー１０が洗浄槽４に所定の状態で配設されることによって、内視鏡２０の操作部２２に設けられている処置具用口金２８及び複数の管路用口金２９が、洗浄槽４に設けられている流体供給ノズル９ｂ及び流体供給ユニット９ａの各ノズル９ｃに対して所定の状態で対峙させることができる。このことによって、各ノズル９ｂ、９ｃを口金２８、２９に装着する装着作業を自動で行い、その後の洗浄消毒工程も自動で実行する内視鏡洗浄消毒装置を実現することができる。  
なお、洗浄槽４の底面に、挿入部位置決め突起５、操作部位置決め突起６、挿入部用着色部８ａ、又は操作部用着色部８ｂの何れかを設けて、内視鏡洗浄消毒装置の有する洗浄消毒機能を十分に発揮させる、或いは各ノズル９ｂ、９ｃを口金２８、２９に装着する装着作業を自動で行い、その後の洗浄消毒工程も自動で実行する内視鏡洗浄消毒装置を実現させるようにしてもよい。
【００３７】
また、ユーザが万一、内視鏡とトレーの色との違いに気付かずに操作部２２を操作部収容領域１３内に収容する作業を行った場合には、操作部特定突起７と操作部２２に設けられている切り欠き孔２４との位置関係が位置ずれしていることによって、操作部２２の操作部収容領域１３内への収容が操作部位置決め突起６によって阻止されて、操作部２２が底面１４から浮いた状態、つまり、傾いて、不安定な状態になる。このことによって、ユーザは、内視鏡とトレーとの色の違いに気付くことができる。
【００３８】
また、図４に示すように挿入部収容領域１２と操作部収容領域１３とを区分けする仕切りとして隔壁１５ｃを設けることによって、挿入部収容領域１２が外形壁面１５ａと挿入部収容壁面１５ｂと隔壁１５ｃとによって明確に構成され、操作部収容領域１３が外形壁面１５ａと隔壁１５ｃとによって明確に構成される。
【００３９】
さらに、図５に示すように例えば、トレーの底面１４に前記突起５、６に加えて、告知手段として挿入部の巻回状態を表す挿入部用着色部８ａ及び操作部の配置状態を表す操作部用着色部８ｂを設けるようにしてもよい。
【００４０】
この構成によれば、ユーザは、操作部用着色部８ｂの形に合わせて内視鏡２０の操作部２２を配置すると共に、挿入部用着色部８ａに略一致させるように挿入部２１を配置していくことによって、滑らかな巻回状態を容易、且つ正確に形作って、内視鏡２０を所定のかんかん状態でトレー１０内に収容することができる。このことによって、挿入部位置決め突起５の数を最小限にして挿入部２１の規制を行うことが可能になる。
【００４１】
ところで、前記特許文献１の内視鏡洗浄消毒装置では、ペダルスイッチを踏み込むことによってトップカバーが閉状態から開状態になる構成である。一方、前記特許文献２の内視鏡洗浄消毒装置では、トレーに設けられているタグを装置本体の窓部に近づけることによって、図示しないアンテナがタグの情報を取得して、装置本体に設けられている制御部に識別信号を伝送し、識別信号が伝送された制御部で、記録部に登録されているデータとの照合を行い、照合の結果、ＯＫと判定されると、カバー用モータを駆動させて、トップカバーを閉状態から開状態にする構成になっている。
【００４２】
すなわち、使用済みの内視鏡の洗浄消毒を行うに当たって、ユーザは、まず、使用済みの内視鏡をトレーに収納する。次に、ユーザは、トレーに設けられている搬送用把持部を把持して、内視鏡が収納されたトレーを装置本体まで運搬する。次いで、ユーザは、トップカバーを開状態にするため、ペダルスイッチを踏み込む、又はトレーに設けられているタグを装置本体の窓部に近づける。
【００４３】
しかしながら、ユーザは、トレーを持つ姿勢のとき、足元をはっきりと認識できる状態では無いため、所謂、手探り状態でペダルスイッチを操作することになる。また、ユーザは、トレーに設けられているタグを装置本体の窓部にかざすとき、タグと窓部とを所定の近接状態にする作業が難しく、誤って、トレーを装置本体の前面に接触させてしまうおそれ等があった。
【００４４】
このため、使用済みの内視鏡が収容されたトレーを、速やかに、洗浄槽に収納して洗浄消毒作業を行える内視鏡洗浄消毒装置が望まれている。
【００４５】
図６乃至図８は内視鏡が洗浄槽内に配設されていない状態においてトップカバーが開状態に維持される内視鏡洗浄消毒装置に係り、図６はトップカバー開状態維持機構の構成を説明する図、図７はトップカバー開状態維持機構の作用を説明する図、図８は閉状態及び開状態のトップカバーを説明する図である。
【００４６】
図６に示すように本実施形態の内視鏡洗浄消毒装置１Ａは、後述するトップカバー開状態維持機構３０を備えている。  
内視鏡洗浄消毒装置１Ａの備えるトップカバー３Ａは、洗浄槽４内にトレー４０が配設された状態のとき、把持部３１に設けられているフック３２が把持部下面３１ｄから突出していて、装置本体２Ａに設けられたロック部３３に引っかかり、閉状態に保持される。トップカバー３Ａの一面にはパッキン３４が設けられており、このパッキン３４は、トップカバー３Ａが閉状態のとき、装置本体２Ａの上面に密着して、水密を保持する構成になっている。
【００４７】
トップカバー開状態維持機構３０は、把持部３１側に設けられているフック３２及びフック用引きバネ３５と、トップカバー３Ａ側に設けられた押し込み部材３６と、フック３２と押し込み部材３６とを連動させる連動部材３７とで主に構成されている。
【００４８】
フック３２は、把持部３１に対して摺動自在であり、連動部材３７の一端部に固設されている。フック用引きバネ３５は、把持部下面３１ｄから突出したフック３２を把持部３１側に引き戻す弾性力を有している。押し込み部材３６は、トップカバー３Ａに設けられている例えば凸部３８に対して摺動自在に構成されている。押し込み部材３６の基端部は、連動部材３７の他端部に連結されている。
【００４９】
連動部材３７は、軸３９を中心に回動する構成である。具体的に、連動部材３７は、フック用引きバネ３５の付勢力、又は押し込み部材３６がトップカバー３Ａ方向（図中上方向）に移動することによって、軸３９を中心に回動する構成になっている。  
符号３５ａはトップカバー用引きバネである。
【００５０】
上述のように構成したトップカバー開状態維持機構３０を備える内視鏡洗浄消毒装置１Ａの作用を説明する。  
ユーザは、図６に示すように内視鏡洗浄消毒装置１Ａの洗浄槽４内に、内視鏡４１が収容されているトレー４０を配設して洗浄消毒を行う。洗浄消毒後、ユーザは、ペダルスイッチ（不図示）を操作する。ペダルスイッチの操作に伴ってロック部３３が移動されて、フック３２との引っかかりが解除される。
【００５１】
すると、図７に示すようにフック用引きバネ３５の付勢力によってフック３２が把持部３１側の非係合位置に移動される。また、トップカバー用引きバネ３５ａの付勢力によってトップカバー３Ａが閉状態位置から図７の一点鎖線に示す開状態位置まで移動されていく。ユーザは、トップカバー３Ａが開状態になると、内視鏡４１が収容されているトレー４０を洗浄槽４内から取り出し、保管庫に運搬する。
【００５２】
本実施形態の内視鏡洗浄消毒装置１Ａにおいて、洗浄槽４内にトレー４０が配設されていないとき、フック３２がフック用引きバネ３５によって把持部３１側の非係合位置に移動されるため、トップカバー３Ａは開状態になる。このとき、トップカバー３Ａを図７の開状態である一点鎖線の位置から実線の位置に移動させても、フック３２が非係合位置に移動されていることによって、フック３２のロック部３３への係合が阻止されて、トップカバー３Ａは開状態に維持される。  
なお、押し込み部材３６は、洗浄槽４内に突出している。
【００５３】
一方、トップカバー３Ａが開状態のとき、ユーザが洗浄槽４内に内視鏡４１が収容されているトレー４０を配設し、その後、トップカバー３Ａを閉状態にしていく。すると、洗浄槽４内に突出している押し込み部材３６の先端がトレー４０の上端面に当接する。この後、トップカバー３Ａの閉動作が続行されると、連動部材３７がフック用引きバネ３５の付勢力に抗して軸３９を中心に回動されて、フック３２が把持部３１の把持部下面３１ｄから突出し、装置本体２Ａに設けられたロック部３３に引っかかる。このことによって、トップカバー３Ａは、閉状態に保持される。
【００５４】
このように、内視鏡洗浄消毒装置にトップカバーを開状態に維持する、フック用引きバネで引き戻される方向に付勢されたフックと、摺動自在な押し込み部材とを連動部材で連動させたトップカバー開状態維持機構を設ける。このことによって、洗浄槽内にトレーが配設されていない状態において、フックをロック部に引っかからない位置に移動させて、トップカバーを開状態に維持することができる。
【００５５】
したがって、ユーザは、使用済みの内視鏡の洗浄消毒を行うに当たって、使用済みの内視鏡を収納したトレーを装置本体まで運搬してきたとき、図８の二点鎖線に示すようにトップカバー３Ａが開状態であることによって、使用可能な内視鏡洗浄消毒装置１Ａであることを容易に認識することができると共に、その使用可能な内視鏡洗浄消毒装置１Ａの洗浄槽４内に速やかにトレー４０を配設することができる。
【００５６】
このことによって、ユーザは、手探り状態でペダルスイッチを操作する煩わしさ、或いは、トレーに設けられているタグを装置本体の窓部にかざす煩わしさから解消される。
【００５７】
また、洗浄槽から洗浄済みの内視鏡が収容されているトレーを取り出した後、トップカバーが開放状態で維持されることによって、洗浄槽内が速やかに乾燥されて、内視鏡洗浄消毒装置を良好な状態に維持することができる。
【００５８】
なお、内視鏡洗浄消毒装置１Ａが備えるトップカバー開状態維持機構３０は、上述した把持部３１側に設けられているフック３２及びフック用引きバネ３５と、トップカバー３Ａ側に設けられた押し込み部材３６と、フック３２と押し込み部材３６とを連動させる連動部材３７との構成に限定されるものではなく、図９及び図１０に示す構成であってもよい。
【００５９】
図９及び図１０は内視鏡が洗浄槽内に配設されていない状態においてトップカバーが開状態に維持される内視鏡洗浄消毒装置に係り、図９はトップカバー開状態維持機構の他の構成を説明する図、図１０はトップカバー開状態維持機構の作用を説明する図である。
【００６０】
図９に示すように本実施形態のトップカバー開状態維持機構３０Ａは、内視鏡４１の操作部４２に設けられたＲＦＩＤ４３と、装置本体２Ｂに設けられたロック部用戻しバネ４４と、ロック部移動機構であるソレノイド４５と、ＲＦＩＤリーダ４６とで主に構成されている。
【００６１】
ＲＦＩＤ４３は送信デバイスであり、内視鏡情報、例えば内視鏡４１の挿入部の長さ寸法、流体供給ノズル９ｂに対応する口金２８及び流体供給ユニット９ａの複数のノズル９ｃに対応する複数の口金２９を備えていること等の情報が記憶されている。
【００６２】
一方、ＲＦＩＤリーダ４６は受信デバイスであって、内視鏡４１に備えられたＲＦＩＤ４３等が所定距離に近接配置されると、このＲＦＩＤ４３に記憶されている情報を読み取り、読み取った情報を装置本体２に設けられた制御部（不図示）に出力する。ソレノイド４５は、装置本体２Ｂに固設され、制御部から出力される制御信号に基づいて、駆動される。本実施形態においてソレノイド４５は、制御部から出力される制御信号に基づいて、駆動を停止することでロック部用戻しバネ４４の付勢力によってロック部３３Ｂをロック位置に移動させる。ロック部用戻しバネ４４は、ロック部３３Ｂを図９に示すロック位置に付勢する付勢力を有している。すなわち、本実施形態においては、ソレノイド４５が駆動されている状態のとき、ロック部３３Ｂは、ロック部用戻しバネ４４の付勢力に抗して非ロック位置に配置される。
【００６３】
上述のように構成したトップカバー開状態維持機構３０Ａを備える内視鏡洗浄消毒装置１Ｂの作用を説明する。  
ユーザは、図９に示すように内視鏡洗浄消毒装置１Ｂの洗浄槽４内に、内視鏡４１が収容されているトレー４０を配設して洗浄消毒を行う。洗浄消毒後、ユーザは、ペダルスイッチ（不図示）を操作する。すると、ペダルスイッチの操作に伴ってソレノイド４５が駆動し、ロック部用戻しバネ４４の付勢力に抗してロック部３３が移動されて、フック３２Ｂとの引っかかり状態が解除される。すると、ソレノイド４５の駆動によって、トップカバー３Ｂは図９の実線に示す閉状態位置から図１０の一点鎖線に示す開状態位置に移動される。
【００６４】
ユーザは、トップカバー３Ｂが開状態になると、内視鏡４１が収容されているトレー４０を洗浄槽４内から取り出し、保管庫に運搬する。ユーザが、トレー４０を洗浄槽４から取り出すことによって、ＲＦＩＤリーダ４６に近接していたＲＦＩＤ４３が所定の近接状態から離れて、ＲＦＩＤリーダ４６から制御部への出力が停止される。制御部は、ＲＦＩＤリーダ４６からの出力が停止されると同時に、ソレノイド４５へ制御信号を出力する。すると、ロック部３３Ｂは、ソレノイド４５の駆動によって図１０に示す非ロック位置に移動させる。
【００６５】
本実施形態の内視鏡洗浄消毒装置１Ｂにおいては、洗浄槽４内にトレー４０が配設されていないとき、ロック部３３Ｂがソレノイド４５の駆動によって洗浄槽４側である非係合位置に移動されて、トップカバー３Ｂは開状態になる。このため、トップカバー３Ｂを図１０に示す開状態である一点鎖線の位置から実線の位置に移動させても、ロック部３３Ｂが非係合位置に移動されていることによって、フック３２とロック部３３Ｂとの係合が阻止されて、トップカバー３Ｂは開状態に維持される。
【００６６】
一方、トップカバー３Ｂが開状態のとき、ユーザが洗浄槽４内に操作部４２にＲＦＩＤ４３を備えた内視鏡４１を収容したトレー４０を配設すると、ＲＦＩＤリーダ４６によってＲＦＩＤ４３に記憶されている情報が読み取られ、ＲＦＩＤリーダ４６から制御部への信号出力が開始される。このことによって、制御部は、ソレノイド４５への制御信号の出力を停止して、ロック部３３Ｂをロック部用戻しバネ４４の付勢力によってロック位置に移動させる。  
この後、ユーザがトップカバー３Ｂを閉状態にしていくことにより、フック３２Ｂがロック部３３Ｂに引っかかって、トップカバー３Ｂが閉状態に保持される。
【００６７】
このように、内視鏡にＲＦＩＤを設ける一方、装置本体にＲＦＩＤリーダを設け、且つ内視鏡洗浄消毒装置にトップカバーを開状態に維持することを可能にするソレノイドと、バネの付勢力を用いてロック部をロック位置に移動させるロック用戻しバネとを設けてトップカバー開状態維持機構を構成する。このことによって、上述と同様に、洗浄槽内にトレーが配設されていない状態において、フックをロック部に引っかからない位置に移動させて、トップカバーを開状態に維持することができる。その他の作用及び効果は上述した内視鏡洗浄消毒装置１Ａと同様である。
【００６８】
なお、上述した実施形態においては、トップカバー開状態維持機構３０、３０Ａを構成して、トップカバー３Ａ、３Ｂを開状態に維持するとしている。しかし、図９に示すようにトレー４０にＲＦＩＤ４７を設け、ＲＦＩＤリーダ４６によってトレー４０に設けられているＲＦＩＤ４７の情報が読み込まれない限り、ロック部３３Ｂがロック位置に移動しない構成であってもよい。
【００６９】
このことによって、トレーが洗浄槽内に配設されていない状態において、誤って、洗浄消毒が開始されることを確実に防止することができる。
【００７０】
ところで、前記特許文献２の内視鏡洗浄消毒装置では、使用済みの内視鏡をトレーに収納して装置本体まで運搬する際、汚れ等がトレーの給排水口から漏出することを防止するため、自重と付勢部材の付勢力とによって、常時、給排水口を蓋体で塞ぐ構成になっている。そして、図１１に示すようにトレー５０の給排水口５１を塞ぐ蓋体５２は、トレー５０が洗浄槽５３内に所定状態で配設されたときに、例えば排水口５４に設けられている蓋体開閉突起５５によって押し上げられて、閉塞状態から開放状態に切り替えられるようになっている。
【００７１】
しかしながら、蓋体５２が蓋体開閉突起５５によって押し上げられる構成では、蓋体５２とトップカバー５６の洗浄槽側面５６ａとの間に所定のクリアランスｔを設けて、蓋体５２が洗浄槽側面５６ａに接触することを防止する必要がある。
【００７２】
しかし、このクリアランスｔを設けることによって、トレー５０とトップカバー５６の洗浄槽側面５６ａとの間隙が広がる。すると、洗浄の際、薬液が蓋体５２の洗浄槽側面５６ａに浸るようにしたとき、薬液の使用量が間隙の分だけ増加するという問題があった。
【００７３】
そのため、薬液の使用量を減少させる内視鏡洗浄消毒装置が求められている。なお、図１１は、トレーに設けられた蓋体を開放状態にする蓋体開閉突起を装置本体に設けた内視鏡洗浄消毒装置を説明する図である。
【００７４】
図１２はトレーに設けられた蓋体を開放状態にする蓋体開閉突起をトップカバーに設けた内視鏡洗浄消毒装置を説明する図である。
【００７５】
図１２に示すように本実施形態において、トップカバー５６Ｂには、蓋体開放突起５７が設けられている。トレー５０Ａは、給排水口５１Ａを塞ぐ蓋体５２Ａを備えている。蓋体５２Ａは、蓋体５２Ａの自重に抗する付勢力を備えた図示しない付勢部材の付勢力によって、常時、トップカバー５６Ｂ側に付勢されて、給排水口５１Ａ近傍の一面にＯリング５２ｂを密着させる構成になっている。
【００７６】
装置本体２Ｃの洗浄槽５３Ａの底部には蓋体開放突起５７によって開放される蓋体５２Ａを収容する収容凹部５８が設けられている。収容凹部５８は排水管路５９の近傍に設けられている。
【００７７】
この構成によれば、トレー５０Ａを洗浄槽５３Ａ内に所定の状態で配設した後、トップカバー５６Ｂを閉状態にしていくことによって、このトップカバー５６Ｂに設けられている蓋体開放突起５７が蓋体５２Ａを収容凹部５８側に押し下げて、蓋体５２Ａを開放状態する。このため、トップカバー５６Ｂの洗浄槽側面５６ｃを、蓋体５２Ａの開放位置を考慮することなく、例えばｔ１に示すようにトレー５０Ａに近接させることができる。
【００７８】
このことによって、洗浄消毒の際に、洗浄液、或いは薬液を蓋体５２Ｂの洗浄槽側面５６ｃに浸らせたとき、薬液の使用量を図１１の場合に比べて大幅に減少させることができる。
【００７９】
なお、上述した実施形態においては、蓋体をトレーに対して片開きとしている。しかし、蓋体は片開きに限定されるものではなく、トレーに対して２つの扉を設けた観音開きであってもよい。この構成においては、トップカバーに２つの扉にそれぞれ対応する２つの蓋体開放突起を設ける。このとき、２つの蓋体開放突起の長さ寸法を、扉の開閉順序を考慮して変化させる。
【００８０】
ところで、上述したように使用済みの内視鏡の洗浄消毒を行うに当たって、ユーザは、使用済みの内視鏡を図１３に示すようなトレー６０に収納する。その後、ユーザは、トレー６０の例えば長手側部に固設されている一対の搬送用把持部６１を把持して、内視鏡６３が収納されたトレー６０を装置本体まで運搬している。図１３は一対の搬送用把持部を備えたトレーを説明する図である。
【００８１】
しかしながら、ユーザが運搬する内視鏡は一種類ではない。すなわち、トレーには挿入部の長さが異なる内視鏡、或いは内視鏡コネクタの形状が異なる内視鏡等も収容される。また、トレーには内視鏡と共に、手術で使用された器具等も収容される。このため、トレーの重心位置は、収容物の種類によって変化する。そして、トレーの重心位置が変化することによって、搬送用把持部を把持してトレー運搬中のバランスが不安定になることがあった。
【００８２】
このため、様々な内視鏡等を収容することが可能で、常に、安定したバランスを保って運搬をすることも可能にするトレーが望まれている。
【００８３】
図１４乃至図１６は運搬性を考慮したトレーにかかり、図１４は搬送用把持部の配置位置が可変するトレーを説明する図、図１５は図１４のＡ−Ａ線断面図、図１６は搬送用把持部の変形例を示す図である。
【００８４】
図１４、図１５に示すように本実施形態のトレー６０Ａの例えば対向する長手側部６６には取手用溝６７が形成されている。取手用溝６７には搬送用把持部である取手６８が移動自在に設けられるようになっている。
【００８５】
取手６８は、把持部６８ａ及び一対の支持部６８ｂを備える取手本体６８ｃと、保持部材６８ｄとで構成されている。取手本体６８ｃの把持部６８ａは、例えば長手側部６６の外面側に配置され、保持部材６８ｄは長手側部６６の内面側に配置される。
【００８６】
取手本体６８ｃの支持部６８ｂは、取手用溝６７に挿通して配置される。取手用溝６７に配置された一対の支持部６８ｂの先端部に保持部材６８ｄが固定ネジ６９によって固定される。このことによって、取手６８が長手側部６６から脱落することなく、取手用溝６７に対して移動自在に配設される。
【００８７】
取手用溝６７は、円形断面で構成された支持部６８ｂに対応する例えば半円形状の切り欠き部６７ａと、移動溝６７ｂとを備えて構成されている。隣り合う切り欠き部６７ａには一対の支持部６８ｂが配置されるようになっている。移動溝６７ｂは、支持部６８ｂの直径より幅広に構成されている。
【００８８】
トレー６０Ａを運搬する際、ユーザは、図１４中の実線及び一点鎖線に示すように取手６８の一対の支持部６８ｂを隣り合う切り欠き部６７ａ内に配置させた状態にして、把持部６８ａを把持してトレー６０Ａを持ち上げる。
【００８９】
一方、ユーザが取手６８の位置を重心位置を考慮して変える場合、取手６８の支持部６８ｂを一度移動溝６７ｂ側に配置する。その後、その状態で取手６８の位置を破線に示すように移動溝６７ｂに沿って移動させていく。このことにより、取手６８の位置を、例えば実線に示す位置から一点鎖線に示す位置等に変えることができる。
【００９０】
このように、取手をトレーに設けた取手用溝に対して移動自在に構成したことによって、トレーに収容されている内容物によって取手の位置を自由に変化させてバランスを取ることができる。このことによって、トレーに収納される内視鏡の種類及び収容物の変化に対応させて、トレーに設けられている取手の位置を適宜変化させて、内視鏡を収納したトレーの運搬を安定した状態で行うことができる。
【００９１】
なお、トレーに設けられた取手用溝に対して移動自在な取手を構成する取手本体６８ｃは、上述したように一対の支持部６８ｂを備える構成に限定されるものではなく、例えば図１６に示すように１つの支持部６８ｅを備える取手本体６８ｆであってもよい。
【００９２】
また、トレーに設けられた取手用溝に対して移動自在な取手は、上述した構成に限定されるものではなく、例えば図１７〜図１９に示す構成であってもよい。
【００９３】
図１７乃至図１９は運搬性を考慮したトレーの他の構成例にかかり、図１７はグリップ状取手を備えるトレーを示す説明図、図１８はグリップ状取手と取手用溝とを説明する図、図１９は図１８のＢ−Ｂ線断面図である。
【００９４】
図１７、図１８に示すように本実施形態のトレー６０Ｂが備えるグリップ状取手７０は、全体が把持部として構成されている。グリップ状取手７０は、複数の溝凹凸部７３ａを備える取手用溝７３に移動自在に設けられる。取手用溝７３は、上述と同様にトレー６０Ｂの例えば対向する長手側部７４に形成されている。取手用溝７３は、後述する凸部７１ｄ、７２ｄの高さ寸法より幅広な移動溝７３ｂを備えている。
【００９５】
図１９に示すようにグリップ状取手７０は、断面形状が略凹字形状の第１取手部材７１と第２取手部材７２とを備えて構成されている。第１取手部材７１は、図中上方の凸部７１ｕに、固定ネジ７７の頭部７７ａが配置される、一対の座ぐり穴７１ａを備えている。第２取手部材７２は、図中上方の凸部７２ｕに、固定ネジ７７のネジ部７７ｂと螺合する雌ネジ部７２ａを備えている。
【００９６】
また、それぞれの取手部材７１、７２の図中下方の凸部７１ｄ、７２ｄには取手用溝７３の溝凹凸部７３ａに対応する図１８の破線に示す取手凹凸部７０ａが設けられている。
【００９７】
グリップ状取手７０は、例えば、第１取手部材７１を長手側部７４の外面側に配置し、第２取手部材７２を長手側部７４の内面側に配置した状態で、２つの固定ネジ７７で第１取手部材７１と第２取手部材７２とを固定する。このことによって、グリップ状取手７０が長手側部７４から脱落することなく、取手用溝７３に対して移動自在に配設される。
【００９８】
トレー６０Ｂを運搬する際、ユーザは、図１７に示すグリップ状取手７０を把持する。このとき、取手凹凸部７０ａが溝凹凸部７３ａに噛み合った状態である。ユーザがトレー６０Ｂのバランスを調整するためにグリップ状取手７０の位置を変える場合、図１７に示すように上方に配置されているグリップ状取手７０の取手凹凸部７０ａを下方に移動させて、図１８、図１９に示すように移動溝７３ｂ中に配置する。この状態でユーザは、グリップ状取手７０を例えば矢印方向に移動させることによって、グリップ状取手７０の位置を適宜変えることができる。
【００９９】
このように、搬送用把持部をグリップ状取手として構成したことによって、ユーザは、トレーをグリップ状取手を介して直接的に把持することができる。その他の作用及び効果は上述した実施形態と同様である。
【０１００】
ところで、前記特許文献１の内視鏡洗浄消毒装置では、ペダルスイッチを踏み込むことによってトップカバーが閉状態から開状態になる。このため、使用済みの内視鏡の洗浄消毒を行うに当たって、内視鏡を収容したトレーを運搬してきたユーザは、トップカバーが開状態の内視鏡洗浄消毒装置の洗浄槽内にトレーを配設し、その後、開状態のトップカバーの把持部を把持して、閉状態にしていた。
【０１０１】
しかしながら、図２０に示すように一般的な内視鏡洗浄消毒装置８０においては、トップカバー８１の開閉機構であるヒンジ部がトップカバー後方に設けられている。このため、トップカバー８１が開状態のとき、把持部８１ａが最高点に位置するので、身長の低いユーザが手を伸ばしたときに、把持部８１ａの位置と手の位置とにＨの差が生じて、把持部８１ａを把持することが難しくなることがあった。つまり、身長の低いユーザにとって、トップカバー８１は閉め難いものであった。なお、図２０はヒンジ部をトップカバーの後方に設けた内視鏡洗浄消毒装置を説明する図である。
【０１０２】
このため、身長の低いユーザでも、開状態のトップカバーを容易に操作することが可能な内視鏡洗浄消毒装置が望まれている。
【０１０３】
図２１乃至図２３はトップカバーの開閉方向に特徴を有する内視鏡洗浄消毒装置であって、図２１は内視鏡洗浄消毒装置の構成を説明する斜視図、図２２はトップカバーが開状態の内視鏡洗浄消毒装置を示す図、図２３はトップカバーが閉状態の内視鏡洗浄消毒装置を示す図である。
【０１０４】
図２１に示すように本実施形態の内視鏡洗浄消毒装置９０は、装置本体９１とトップカバー９２とを備えて構成されている。装置本体９１には内視鏡を洗浄するための洗浄槽９３が設けられている。本実施形態のトップカバー９２は、例えば４本のガイドピン１０１に対して摺動自在に配設されている。つまり、トップカバー９２は、ガイドピン１０１の軸方向に対して摺動する構成である。
【０１０５】
図２１〜図２３に示すトップカバー９２は、カバー部９４と、凸部９５とを備えて構成されている。凸部９５には例えば角形の貫通孔であるラック収容部９５ａが設けられている。ラック収容部９５ａには洗浄用ラック９６が摺動自在に配設される。洗浄用ラック９６は、扁平な直方体形状であって、内視鏡又は内視鏡を収容したトレーを収容する収容凹部９６ａを有している。
【０１０６】
トップカバー９２は、カバー部９４の例えば前部及び後部にフック９７を備えている。また、トップカバー９２の洗浄槽側面であって凸部９５の周囲にはパッキン９８が設けられている。パッキン９８は、トップカバー９２が図２３に示す閉状態のとき、装置本体９１の洗浄槽上面９１ｕに密着して配置される。さらに、トップカバー９２には前記ガイドピン１０１が挿通する貫通孔であるピン案内孔９９が設けられている。ピン案内孔９９は、ガイドピン１０１に対して所定の嵌め合いである。
【０１０７】
ガイドピン１０１は、装置本体９１の上面から所定高さで直立して設けられている。ガイドピン１０１には、トップカバー９２を押し上げる方向に付勢するコイルバネ１０２が挿通して配置されている。トップカバー９２のピン案内孔９９をガイドピン１０１に挿通させることによって、トップカバー９２がコイルバネ１０２上に配置される。
【０１０８】
コイルバネ１０２は、伸長状態のとき、図２２に示すようにトップカバー９２を開状態にする。この開状態のとき、トップカバー９２は、コイルバネ１０２によって洗浄用ラック９６の引き出し及び押し入れを容易に行える位置まで押し上げられている。
【０１０９】
一方、図２３に示すようにトップカバー９２が閉状態のとき、コイルバネ１０２は収縮される。このとき、パッキン９８が洗浄槽上面９１ｕに密着している。
【０１１０】
図２１の符号１００は取り付け口であって、取り付け口内にはフック９７が引っかかるロック部（不図示）が設けられている。フック９７がロック部に引っかかることによって、トップカバー９２が閉状態に保持される。そして、本実施形態において、図２３に示す閉状態のトップカバー９２を開状態にする場合、装置本体９１側に設けられている図示しないペダルスイッチを踏み込む。すると、フック９７とロック部との引っかかりが解除されて、コイルバネ１０２の付勢力によってトップカバー９２がガイドピン１０１に沿って上方に移動されて図２２に示す開状態になる。
【０１１１】
上述のように構成した内視鏡洗浄消毒装置９０の作用を説明する。  
内視鏡を内視鏡洗浄消毒装置９０で洗浄消毒する場合、まず、ユーザは、使用済みの図示しない内視鏡が収容されているトレー（不図示）を、予め、トップカバー９２のラック収容部９５ａから引き出されている洗浄用ラック９６の収容凹部９６ａ内に配設する。
【０１１２】
次に、ユーザは、内視鏡を収容したトレーが収容凹部９６ａに配設された洗浄用ラック９６をラック収容部９５ａ内に押し込む。そして、ユーザは、洗浄用ラック９６がラック収容部９５ａ内へ配設されたことを確認する。この後、ユーザは、トップカバー９２の上面を押圧して、トップカバー９２をコイルバネ１０２の付勢力に抗して押し下げていく。すると、パッキン９８が洗浄槽上面９１ｕに接触した後、フック９７がロック部に引っかかって図２３に示す閉状態になる。
【０１１３】
このことによって、ラック収容部９５ａ内に配設された洗浄用ラック９６の収容凹部９６ａ内に配設されたトレーが洗浄槽９３内に配設される。この後、ユーザは、装置本体９１に備えられている図示しない操作パネルにあるスタートスイッチを操作して、洗浄工程、濯ぎ工程を開始する。
【０１１４】
このように、装置本体にガイドピンを立設させ、そのガイドピンにコイルバネを配置した状態にして、トップカバーに設けられている案内孔をガイドピンに挿通させることによって、トップカバーをガイドピンに沿って上下方向に移動させる構成の内視鏡洗浄消毒装置を構成することができる。
【０１１５】
このことによって、トップカバーを開状態にしたとき、トップカバーがガイドピンの先端よりも低い位置に配置されるので、身長の低いユーザがトップカバーの上面を押して容易に閉操作を行うことができる。
【０１１６】
なお、上述した実施形態においては、ラック収容部９５ａを備えたトップカバー９２をガイドピン１０１に沿って上下方向に摺動させて、身長の低いユーザでもトップカバーの閉操作を容易に行うことを可能にしている。しかし、図２４、図２５に示すようにラック収容部９５ａを備えたトップカバー９２の後方にヒンジ部を設けて内視鏡洗浄消毒装置を構成するようにしてもよい。
【０１１７】
図２４はラック収容部を備えたトップカバーの後方にヒンジ部を設けた内視鏡洗浄消毒装置の構成を説明する図、図２５は図２４の内視鏡洗浄消毒装置の作用を説明する図である。  
図２４に示すように本実施形態の内視鏡洗浄消毒装置１１０は、装置本体１１１とトップカバー１１２とを備えて構成されている。
【０１１８】
装置本体１１１には内視鏡を洗浄するための洗浄槽１１３が設けられている。本実施形態のトップカバー１１２は、トップカバー１１２の後方にバネ付きヒンジ１２０を備えている。バネ付きヒンジ１２０は、トップカバー１１２を閉状態から開状態にする付勢力を備えている。
【０１１９】
本実施形態において、トップカバー１１２の開状態における開放角度θは、リンク部１２１によって設定される。リンク部１２１は例えば２つのリンク部材１２２、１２３と、軸体１２４、１２５、１２６とで構成されている。第１リンク部材１２２と第２リンク部材１２３とは軸体１２４によって回動自在に連結され、第１リンク部材１２２は装置本体１１１の側部に軸体１２５によって回動自在に配設され、第２リンク部材１２３はトップカバー１１２の側部に軸体１２６によって回動自在に配設されている。
【０１２０】
図２４、図２５に示すトップカバー１１２は、上述したトップカバー１１２と同様にカバー部１１４と、凸部１１５とを備えて構成されている。凸部１１５には角形の貫通孔であるラック収容部１１５ａが設けられている。ラック収容部１１５ａには洗浄用ラック１１６が摺動自在に配設される。洗浄用ラック１１６は、扁平な直方体形状であって、内視鏡又は内視鏡を収容したトレーを収容する収容凹部を有している。
【０１２１】
トップカバー１１２には、図示しない把持部が設けられ、この把持部には図示しないフックが備えられている。また、トップカバー１１２の洗浄槽側面であって凸部１１５の周囲には洗浄槽１１３の周囲に密着するパッキン（不図示）が設けられている。
【０１２２】
装置本体１１１に設けられている洗浄槽１１３は、トップカバー１１２を閉状態にしたとき、凸部１１５を収容する収容空間として構成されている。
【０１２３】
上述のように構成した内視鏡洗浄消毒装置１１０の作用を説明する。  
内視鏡を内視鏡洗浄消毒装置１１０で洗浄消毒する場合、まず、ユーザは、使用済みの図示しない内視鏡が収容されているトレー（不図示）を、予め、トップカバー１１２のラック収容部１１５ａから引き出された洗浄用ラック１１６の収容凹部内に配設する。
【０１２４】
次に、ユーザは、内視鏡を収容したトレーが配設された洗浄用ラック１１６をラック収容部１１５ａ内に押し込む。そして、ユーザは、洗浄用ラック１１６がラック収容部１１５ａ内に配設されたことを確認する。この後、ユーザは、把持部を把持してトップカバー１１２をバネ付きヒンジ１２０の付勢力に抗して押し下げていく。すると、パッキンが洗浄槽１１３の周囲に接触した後、フックがロック部に引っかかって閉状態になる。
【０１２５】
このことによって、ラック収容部１１５ａ内に配設された洗浄用ラック１１６の収容凹部内に配設されたトレーが洗浄槽１１３内に配設される。この後、ユーザは、装置本体１１１に備えられている図示しない操作パネルにあるスタートスイッチを操作して、洗浄工程、濯ぎ工程を開始する。
【０１２６】
なお、本実施形態において、閉状態のトップカバー１１２を開状態にする場合、装置本体１１１側に設けられている図示しないペダルスイッチを踏み込む。すると、フックとロック部との引っかかりが解除されて、バネ付きヒンジ１２０の付勢力によってトップカバー１１２がリンク部１２１によって規制された、開放角度θの開放位置まで開放される。この開放状態において、ユーザは、ラック収容部１１５ａ内に洗浄用ラック１１６を収容する作業、又はラック収容部１１５ａ内に収容されている洗浄用ラック１１６を引き出す作業を行う。
【０１２７】
このように、装置本体に対してラック収容部を備えたトップカバーをバネ付きヒンジを介して回動自在に設けるとともに、バネ付きヒンジで開状態にされるトップカバーの開放角度をリンク部で所定の角度に設定する。このことによって、開状態にされているトップカバーの把持部を身長の低いユーザが把持してトップカバーの閉操作を容易に行うことができる。
【０１２８】
なお、トップカバーと装置本体とを開閉自在に連結するヒンジ部をトップカバーの後方に設ける代わりに、図２６に示すように破線に示すバネ付きヒンジ１２７をトップカバー１２８を構成する扉１２８ａ、１２８ｂの側面に設けて、トップカバー１２８を観音開きに構成するようにしてもよい。このことによって、身長の低いユーザが扉１２８ａ、又は扉１２８ｂを把持して容易に閉操作を行うことができる。符号１２９はパッキンであり、トップカバー１２８が閉状態のとき装置本体１１１の上面に密着する。図２６は観音開きのトップカバーの構成を説明する図である。
【０１２９】
また、トップカバーを２つの扉を備える観音開きの構成にする代わりに、１つのトップカバーを扉と同方向に回動するように何れかの側部にバネ付きヒンジを設けて、開閉自在な構成にするようにしてもよい。
【０１３０】
ところで、内視鏡洗浄消毒装置の洗浄槽に、内視鏡を収容したトレーを配設して、内視鏡の洗浄消毒を行った場合、洗浄消毒完了後、内視鏡の表面、或いはトレーに水滴が残ってしまう。このため、内視鏡の表面、或いはトレーに残った水滴を速やかに除去することが望まれている。
【０１３１】
図２７及び図２８は洗浄消毒後の内視鏡の表面、或いはトレーに残った水滴を速やかに除水する内視鏡洗浄消毒装置に係り、図２７はトレー側に発熱体を設けた内視鏡洗浄消毒装置を説明する図、図２８は内視鏡洗浄消毒装置本体側に発熱体を設けた内視鏡洗浄消毒装置を説明する図である。
【０１３２】
図２７に示すように本実施形態の内視鏡洗浄消毒装置１３０では、トレー１３１に発熱体として例えばコイル１３２が設けられている。また、トレー１３１は、底部にコイル１３２と電気的に接続されたプラグ１３３を備えている。
【０１３３】
これに対して、装置本体１３４には発熱体であるコイル１３２を加熱する加熱回路１３５が設けられている。加熱回路１３５は、電源回路１３６、制御回路１３７、ＳＳＲ１３８等を備えて構成され、洗浄槽１４０の底面にはプラグ１３３と電気的に接続されるレセプタクル１３９が設けられている。
【０１３４】
符号１４１はトップカバーであり、符号１４２はバネ付きヒンジであり、符号１４３は窓部であり、符号１４４は内視鏡である。窓部１４３近傍には例えばＲＦＩＤリーダ（不図示）が配設されている。
【０１３５】
この構成によれば、トレー１３１を洗浄槽１４０に配設するとき、プラグ１３３をレセプタクル１３９に接続する。このことによって、コイル１３２に電力が供給されて発熱される。洗浄中、消毒中においては、熱によって洗浄液、消毒液が保温されて洗浄性の向上を図ることができる。一方、洗浄消毒処理終了後においては、熱によって内視鏡の表面、或いはトレーに残っていた水滴を蒸発させて乾燥を促すことができる。
【０１３６】
なお、内視鏡保管庫に加熱回路を設けることによって、洗浄後の内視鏡が収容されているトレーを内視鏡保管庫に収納して、保管中に内視鏡、トレーの乾燥を行うようにしてもよい。
【０１３７】
このように、トレーに発熱体を設け、装置本体に加熱回路を設けることによって、発熱体によって発生する熱を利用して、内視鏡及びトレーの乾燥等を行うことができる。
【０１３８】
なお、図２７に示すようにトレー１３１にプラグ１３３を設け、装置本体１３４にレセプタクル１３９を設ける代わりに、図２８に示すように無接点な構成にしても良い。
【０１３９】
図２８において、トレー１５０は例えば金属製であり、装置本体１５１の洗浄槽１５２の底部には発熱体としてのコイル１５３が設けられている。
【０１４０】
この構成によれば、金属製のトレー１５０が洗浄槽１５２に配設されたとき、渦電流によるジュール熱でトレー１５０を加熱して上述と同様の作用及び効果を得ることができる。
【０１４１】
なお、トレー１５０が非金属性の場合には、コイル１５３から発生する熱によって、洗浄液、消毒液を暖めて洗浄性の向上を図れるとともに、内視鏡の表面、或いはトレーに残っていた水滴の蒸発を行うことができる。
【０１４２】
尚、本発明は、以上述べた実施形態のみに限定されるものではなく、発明の要旨を逸脱しない範囲で種々変形実施可能である。
【図面の簡単な説明】
【０１４３】
【図１】図１乃至図５は本発明の第１実施形態に係り、図１は内視鏡洗浄消毒装置を説明する斜視図
【図２】内視鏡と、内視鏡を収容する内視鏡収容部に挿入部位置決め突起及び操作部位置決め突起を備えたトレーとを説明する図
【図３】内視鏡を内視鏡収容部に収容したトレーを洗浄槽に配設した状態を説明する図
【図４】挿入部収容領域と操作部収容領域とを区分けする隔壁を備えたトレーを説明する図
【図５】挿入部用着色部及び操作部用着色部を備えたトレーを説明する図
【図６】図６乃至図８は内視鏡が洗浄槽内に配設されていない状態においてトップカバーが開状態に維持される内視鏡洗浄消毒装置に係り、図６はトップカバー開状態維持機構の構成を説明する図
【図７】トップカバー開状態維持機構の作用を説明する図
【図８】閉状態及び開状態のトップカバーを説明する図
【図９】図９及び図１０は内視鏡が洗浄槽内に配設されていない状態においてトップカバーが開状態に維持される内視鏡洗浄消毒装置に係り、図９はトップカバー開状態維持機構の他の構成を説明する図
【図１０】トップカバー開状態維持機構の作用を説明する図
【図１１】トレーに設けられた蓋体を開放状態にする蓋体開閉突起を装置本体に設けた内視鏡洗浄消毒装置を説明する図
【図１２】トレーに設けられた蓋体を開放状態にする蓋体開閉突起をトップカバーに設けた内視鏡洗浄消毒装置を説明する図
【図１３】一対の搬送用把持部を備えたトレーを説明する図
【図１４】図１４乃至図１６は運搬性を考慮したトレーにかかり、図１４は搬送用把持部の配置位置が可変するトレーを説明する図
【図１５】図１４のＡ−Ａ線断面図
【図１６】搬送用把持部の変形例を示す図
【図１７】図１７乃至図１９は運搬性を考慮したトレーの他の構成例にかかり、図１７はグリップ状取手を備えるトレーを示す説明図
【図１８】グリップ状取手と取手用溝とを説明する図
【図１９】図１８のＢ−Ｂ線断面図
【図２０】ヒンジ部をトップカバーの後方に設けた内視鏡洗浄消毒装置を説明する図
【図２１】図２１乃至図２３はトップカバーの開閉方向に特徴を有する内視鏡洗浄消毒装置であって、図２１は内視鏡洗浄消毒装置の構成を説明する斜視図
【図２２】トップカバーが開状態の内視鏡洗浄消毒装置を示す図
【図２３】トップカバーが閉状態の内視鏡洗浄消毒装置を示す図
【図２４】ラック収容部を備えたトップカバーの後方にヒンジ部を設けた内視鏡洗浄消毒装置の構成を説明する図
【図２５】図２４の内視鏡洗浄消毒装置の作用を説明する図
【図２６】観音開きのトップカバーの構成を説明する図
【図２７】図２７及び図２８は洗浄消毒後の内視鏡の表面、或いはトレーに残った水滴を速やかに除水する内視鏡洗浄消毒装置に係り、図２７はトレー側に発熱体を設けた内視鏡洗浄消毒装置を説明する図
【図２８】内視鏡洗浄消毒装置本体側に発熱体を設けた内視鏡洗浄消毒装置を説明する図
【符号の説明】
【０１４４】
１…内視鏡洗浄消毒装置    ２…装置本体    ３…トップカバー    ４…洗浄槽
５…挿入部位置決め突起    ６…操作部位置決め突起    ７…操作部特定突起
８ａ…挿入部用着色部    ８ｂ…操作部用着色部    ９ａ…流体供給ユニット
９ｂ…流体供給ノズル    １０…トレー    １１…内視鏡収容部    
１２…挿入部収容領域    １３…操作部収容領域    １４…底面    １５ｃ…隔壁
１６…ユニット挿通部    １７…ノズル挿通部    ２０…内視鏡    ２１…挿入部
２２…操作部    ２８…処置具用口金    ２９…管路用口金
【図１】
2009172055.tif 000003
【図２】
2009172055.tif 000004
【図３】
2009172055.tif 000005
【図４】
2009172055.tif 000006
【図５】
2009172055.tif 000007
【図６】
2009172055.tif 000008
【図７】
2009172055.tif 000009
【図８】
2009172055.tif 000010
【図９】
2009172055.tif 000011
【図１０】
2009172055.tif 000012
【図１１】
2009172055.tif 000013
【図１２】
2009172055.tif 000014
【図１３】
2009172055.tif 000015
【図１４】
2009172055.tif 000016
【図１５】
2009172055.tif 000017
【図１６】
2009172055.tif 000018
【図１７】
2009172055.tif 000019
【図１８】
2009172055.tif 000020
【図１９】
2009172055.tif 000021
【図２０】
2009172055.tif 000022
【図２１】
2009172055.tif 000023
【図２２】
2009172055.tif 000024
【図２３】
2009172055.tif 000025
【図２４】
2009172055.tif 000026
【図２５】
2009172055.tif 000027
【図２６】
2009172055.tif 000028
【図２７】
2009172055.tif 000029
【図２８】
2009172055.tif 000030